(57)【要約】【課題】正面のテーブル上に置かれた物を姿勢の状態に関わらず、テーブルを移動、傾斜し、安定させた状態で目視可能とする。【解決手段】キャスターに取り付けられたアームから吊り下げられたテーブルが前後、傾斜することによって、テーブル上のものを安定した状態で目視することができるように、据付の固定用具で固定する。その固定用具とは、全てテーブル内に収容され、いつでも容易に取り出しが可能である。テーブルに置ける物の重量は１０ｋｇ以下とする。またキャスター部と本体部の取り付けはボルト穴の位置によって高さの調節が可能であるが、本体部の移動可能な長さは、キャスター部の底の正面方向のアームの長さの範囲内になるように取り付けなければならない。この条件を満たした上で多目的で安定した状態でテーブル上の物を目視する。【選択図】図２
0003103616.tif 000002
【実用新案登録請求の範囲】
【請求項１】
吊り下げられたテーブルが前後、傾斜することによって、正面方向の人の姿勢に関わらず画面または書面を見ることができることを特徴とする可動式テーブル。
【請求項２】
テーブルを傾斜させることによって、テーブル上の物を安定させる取付け付随用具で固定できることを特徴とするテーブルで、請求項１に記載の可動式テーブル。
【請求項３】
据え置きのキャスター部に固定することによって、安定した移動、傾斜ができることを特徴とするキャスター部で、請求項１に記載の可動式テーブル。
【考案の詳細な説明】
【技術分野】
【０００１】
本考案は、吊り下げられたテーブルの前後移動、傾斜が容易な可動式テーブルに関するものである。
【背景技術】
【０００２】
従来はテーブル上に物を置いてから人が上体を起こして見る、読むことで十分であった。
【０００３】
図１の４０は従来のテーブルの様子の一例を示したものであるが、たとえ図４１のようにテーブル脇に物を置いたとしても見にくく、読み辛いという欠点があった。
【０００４】
昨今では可動式ベッドにより従来のテーブル上の物を見やすくしたものもあるが、上体を起こさなければならないという問題がある。
【考案の開示】
【考案が解決しようとする課題】
【０００５】
問題点は寝たままの状態、あるいは上体を反らした（休ませた）姿勢で、従来のテーブル上の物を見る、読むことができない点である。
【課題を解決するための手段】
【０００６】
本考案は従来のテーブルを移動、傾斜させることによって人の姿勢に関わらず見やすくすることを最も主要な特徴とする。
【考案の効果】
【０００７】
本考案の可動式テーブルは上下、角度において自由に調節でき、傾斜させることによってずり落ちることのないように固定用具が付随しているという利点がある。
【考案を実施するための最良の形態】
【０００８】
人の上体の姿勢を変えずにテーブルを前後に移動し、傾斜させることによって図８の４３，４４，４５a、４５bのキャスター部と図８の４２a,42bの全体の安定度を損なわずに実現した。
【実施例１】
【０００９】
図２は考案本体部分であり、図３、図４、図５、図６、図７、図８は図２の詳細図であり、図７は図６をさらに詳細したもので、図９、図１０は１つの実施例である。また図の記述があるまで、はじめに記述した図の符号とします。
【００１０】
図２の１aはこの字スチールで一本モノを曲げた物であり、５の後方継ぎ手によって２aの後方上段スチール、３aの後方左スチール、３bの後方右スチールが継がれている。４の強化スチールは１aのこの字スチールと3aの後方左スチール,1aのこの字スチールと３bの後方右スチールを強化し、８の移動固定スチールで吊り下げられた物が後方へ行き過ぎるのを止める役目も兼ねる。また、３aの後方左スチール、３bの後方右スチールは２cの後方中段スチール、２dの後方下段スチールによっても固定する。以下、符号の名称は省き、図の番号と符号のみとします。
【００１１】
図２の１４a、１４bは１０a、１０bに吊られ、それらは８につられ、そして６a、６bに吊られている。６bの詳細として図３がある。図３の２５a、２５bによって移動をスムーズにし、２b（図２、図３）によって左右ずれのない動きをとることができる。図２の６a、６bの固定には１bと７の締め付けによって行う。また、図３の２６と７の軸のボルトは接着し、緩めすぎによる外れを防止し、７は、６aにはなく、６bによってのみ固定する。
【００１２】
また、図４の１０a、１０bの上下移動には、図４の９を両方緩め、３０bを両方外すことによって１０a、１０ｂの上下が可能となり、９のボルト穴と図２の１０cにボルトを入れる事で調節し、固定する。
【００１３】
傾斜は図４の１１aを緩め、１２cを両方抜き水平から手前にたおして角度を付け、１２cの穴と１２a、１２bの穴と１２dが合う所で１２cを両方入れ固定し、１１aを締め付けて固定する。１１bと３０eは接着してあり、外れないようにしてある。１１bは３１の中にあり、３１は図２の１４a、１４bとその間を貫通し、締め付けによっての歪みを防止する。また３１は４角材にすることにより、１４a,１４bとその間をより固定したものにする。また、図４の１２aa、１２baによって水平から奥手の方向に角度が付かないようにしてあり、最大でも90度までである。これより、１４a、１４bとその間のスチールを総称し、ボートということにする。図４はボードのみを傾斜させた前方正面図である。
【００１４】
図５の１８をボードに対して垂直に引くことによって、図２の１８の状態になりますが、図５の３４が３３bを通過することで３４が働き、３３aによって左右前後のずれが防止できる。収容するときはボードの水平方向に押し下げる。また、ノートパソコン等の固定、傷防止のためにゴム板をつけてあり、黒塗りしたのがそれである。
【００１５】
図５の１７bを緩め、１６bに沿って１７aを移動させたのが、図２の１７aの状態である。これは液晶ディスプレーの足を固定するものである。図２の１７bを緩め、１６bに沿い、１６cに収めることができる。１７aは１３aと共に使用するが、それは後の（００１８）で記述している。また、ディスプレーの足の固定、傷防止のためにゴム板をつけてあり、黒塗りしたのがそれである。
【００１６】
図５の１９をボードに対して９０度起こすことによって、図２の１９の状態になる。これは、図５の両方の３２によって回転でき、１５bによって、固定でき、収容するときは奥方向に倒すだけでよい。これも書物等の固定、傷防止のためにゴム板をつけてあり、図２の１９の黒塗りしたのがそれである。
【００１７】
図６の２０は図２の１９を起こした状態と共に使用する。まず、図６の２０をボードに対して水平に引き、ボード上の物を挟めるように回転させ、挟みながら、水平に押し込むことで、ページを固定させる。２０の軸は３６によって、ボードに対して垂直方向が固定され、３５によって引きすぎによる抜けを防止する。また、収容する時は同じように引き、回転させ、２２の中にある３７に沿って収容すれば固定される。よって、２０は円柱の軸に弾力性のある針金等を接着したものを使う。
【００１８】
図６の１３aaを起こしたものが１３abであるが、図７の１３bの軸が２３bの溝を通ることによって移動する。まず、図６の１３aaを起こすために、図２の１８を引き上げ、１３aaの上方に隙間を作り１３aaを奥方向にボードに対して水平移動させながら、手前方向に引き上げる。図７の１３abを動かし、１３bが２３bを沿い３８aの手前まで来たときにボードに対して垂直方向に押し込むことによって、１３bが３８aにはまり込み、図２の１５a、４６a、４６bと共に固定できる。この位置は小型テレビ、小型パソコンディスプレーを置くための位置である。次に図７の１３abをボードに対して垂直方向に引き２３bに沿わせながら３８bのあるところまで移動する。同様に押し込むことで、３８bにはまり込み図２の４６b、４６cと共に固定できる。この位置は図２の１７aと共に使い、液晶型ディスプレーを置くための位置である。これは前述の（００１５）で記載している。でなお、図７の３９a、３９bにより、１３bは外れることなくボードに対して垂直、水平が保たれ、１３aa、１３abは必ずペアで使いかつ、３８aの位置か３８bの位置かどちらか一方にする。また、ボード上に載せる物の固定と傷防止の為ゴム板を接着している。元の図６の１３aaの状態にする時も同様で、図５の１８を引き上げてからいどうする
【００１９】
記述したボードをカーバーするものが、図８であり、可動する部分があるところは、切り抜いてある。
【００２０】
図８はキャスター部と本考案の本体部分を組み立てた一例である。図２の３cにより、図８のような高さを調節でき、かつ４５a、４５bは４３bによっても高さが調節できる。付属として、４３cによって、ボード等を取り付けることができる。また、図８の４５a、４５bは４２a、４２bを支え、かつ４３、４４を支えるものであるため、本考案の本体部分で使うスチールより強力なものを使う。４４は本考案の本体部分が前方に移動できるため、キャスター部全体が前方に倒れるのを防止するために長くしたものである。
【産業上の利用可能性】
【００２１】
以上説明したように本考案の可動式テーブルは多目的に実用できるという利点があり、キャスター部と本体部を取り付ける位置が選べ、ユーザーの好みで高さを調節できる。このことから、介護用テーブルにも一般のユーザーにも広く実用的に利用できるものである。図１０はその一例である。
【特許文献１】実登１９９７-３０４３６９５号広報
【図面の簡単な説明】
【００２２】
【図１】従来のテーブルの様子の一例である。
【図２】考案本体部分の前方右上から見た説明図である。
【図３】図２の一部分を前方正面から詳細した説明図である。
【図４】図２の一部を傾斜させ前方正面から詳細させた説明図である。
【図５】図２の一部分を前方右上から詳細した説明図である。
【図６】図２の一部分を前方右上から詳細した説明図である。
【図７】図２及び図６の一部分を前方右上から詳細した説明図である。
【図８】図２の一部分を前方右上から詳細した説明図である。
【図９】キャスター部と本体部を組み付け、前方右上から見た組み付け例である。
【図１０】キャスター部と本体部を組み付け、前方右上から見た実用例である。
【符号の説明】
【００２３】
１a      この字スチール
２a      後方上段スチール  
２b      稼動上段スチール
２c      後方中段スチール
２d      後方下段スチール
３a      後方左スチール
３b      後方右スチール
４        強化用スチール
５        後方継ぎ手
６a      移動左継ぎ手
６b      移動右継ぎ手
７        移動継ぎ手用固定ボルトレバー
８        移動固定用スチール
９        移動固定用固定ボルトレバー
１０a    移動固定用左可動スチール
１０b    移動固定用右可動スチール
１０c    移動固定用固定穴
１１a    傾斜固定用ボルトレバー
１１b    傾斜固定用ボルトレバー軸
１２a    傾斜固定用左プレート
１２b    傾斜固定用右プレート
１２c    傾斜固定用ピン
１２d    傾斜固定用ピン穴
１３aa   傾斜固定用画面左プレート
１３ab   傾斜固定用画面右プレート
１３b    傾斜固定用移動ピン
１４a    傾斜固定用左スチール
１４aa   傾斜固定用左水平ピン
１４b    傾斜固定用右スチール
１４ba   傾斜固定用右水平ピン
１５a    傾斜固定用画面プレート止め
１５b    傾斜固定用書物プレート止め
１６a    傾斜固定用中央スチール
１６b    傾斜固定用中央溝
１７a    傾斜固定用液晶止め金具
１７b    傾斜固定用液晶止めボルト
１８      傾斜固定用ノートPC止め金具
１９      傾斜固定用書物プレート
２０      ページ押さえ止め金具  
２１      ページ押さえ止め金具軸受けスチール  
２２      ページ押さえ止め金具固定スチール  
２３a    傾斜固定用両受けスチール  
２３b    傾斜固定用両受け溝
２４      傾斜軸受けスチール
２５a    移動継ぎ手用上方ローラー
２５b    移動継ぎ手用側面ローラー
２６      移動継ぎ手用大ワッシャー
２７      移動継ぎ手用小ワッシャー
２８      移動継ぎ手用ビス  
２９      継ぎ手ボルト  
３０a    継ぎ手用ナット
３０b    移動固定用固定ナット
３０c    傾斜固定用ナット
３１      傾斜固定用軸受けパイプ
３２      傾斜固定用書物ピン
３３a    傾斜固定用ノートＰＣ上溝
３３b    傾斜固定用ノートＰＣ下溝
３４      傾斜固定用ノートPCピン
３５      ページ押さえ抜き防止ピン
３６      ページ押さえ軸受けパイプ
３７      ページ押さえ固定金具
３８a    傾斜固定用前方ピンフック
３８b    傾斜固定用後方ピンフック
３９a    傾斜固定用左ピン止め
３９b    傾斜固定用右ピン止め
４０      一般のキャスター
４１      ラック
４２a    可動式テーブル上方位置
４２b    可動式テーブル下方位置
４３a    キャスター側面板
４３b    本体受けボルト穴
４３c    ボード等受けボルト穴
４４     
キャスター底足
４５a    本体受け下段スチール
４５b    本体受け上段スチール
４６a    画面プレート止め前スチール
４６b    画面プレート止め中スチール
４６c    画面プレート止め後ろスチール
【図１】
0003103616.tif 000003
【図２】
0003103616.tif 000004
【図３】
0003103616.tif 000005
【図４】
0003103616.tif 000006
【図５】
0003103616.tif 000007
【図６】
0003103616.tif 000008
【図７】
0003103616.tif 000009
【図８】
0003103616.tif 000010
【図９】
0003103616.tif 000011
【図１０】
0003103616.tif 000012
【手続補正書】
【提出日】平成16年2月27日(2004.2.27)
【手続補正１】
【補正対象書類名】図面
【補正対象項目名】図３
【補正方法】変更
【補正の内容】
【図３】
0003103616.tif 000013
【手続補正２】
【補正対象書類名】明細書
【補正対象項目名】００１１
【補正方法】変更
【補正の内容】
【００１１】図２の１４a、１４bは１０a、１０bに吊られ、それらは８につられ、そして６a、６bに吊られている。６bの詳細として図３がある。図３の側面２b側の２個の２５aと上面２個の２５bによって移動をスムーズにし、２b（図２、図３）によって左右ずれのない動きをとることができる。図２の６a、６bの固定には１bと７の締め付けによって行う。また、図３の２６と７の軸のボルトは接着し、緩めすぎによる外れを防止し、７は、図２の６aにはなく、６bによってのみ固定する。また６aにも側面２b側の２個の２５aと上面２個の２５bを使う。
【手続補正３】
【補正対象書類名】明細書
【補正対象項目名】００２１
【補正方法】変更
【補正の内容】
【００２１】以上説明したように本考案の可動式テーブルは多目的に実用できるという利点があり、キャスター部と本体部を取り付ける位置が選べ、ユーザーの好みで高さを調節できる。このことから、介護用テーブルにも一般のユーザーにも広く実用的に利用できるものである。図１０はその一例である。  【特殊文献１】実願１９９７-３０４３６９５号広報